(57)【要約】      （修正有）【課題】低電圧を用いて感電の恐れを少なくしながら、更に、非接触型給電を行い、且つ、建屋工事と鏡台敷設とを別個に行い得るようにして設備コストを低減させると共に鏡台側の取り換えも容易に行い得る鏡の防曇装置を提供する。【解決手段】建屋壁側の電源供給部１と、鏡本体１５に設けられた電力受給部２とから構成され、電源供給部１は、変圧部４と送電部５とから構成され、変圧部４は、５０乃至２０ボルトに降圧させる構成で、電力受給部２は、受電部６と該受電部に接続されたヒータ７とからなり、送電部５と受電部６は非接触型給電方式で構成されている。【選択図】図１
0003202945.tif 000002
【実用新案登録請求の範囲】
【請求項１】
屋内設置の鏡の防曇装置であって、
建屋構造壁の内部に有線接続されて設置される電源供給部（１）と、該壁の屋内側に固定又は着脱自在に設置される鏡ユニット（１０）に設けられた電力受給部（２）とから構成され、
前記電源供給部（１）は、屋内配線に接続された変圧部（４）と、該変圧部（４）に接続された送電部（５）とから構成され、前記変圧部（４）は、５０乃至２０ボルトに降圧させるように構成されており、
前記電力受給部（２）は、受電部（６）と該受電部（６）に接続されたヒータ（７）とからなり、前記ヒータ（７）は、前記鏡本体（１５）の裏面に近接設置されており、
前記送電部（５）と受電部（６）は非接触型給電方式で構成されている、ことを特徴とする鏡の防曇装置。
【請求項２】
前記送電部（５）と前記受電部（６）は、それぞれ電磁誘導コイルを備えて、電磁誘導により非接触型給電方式で送電を行うように構成されていることを特徴とする請求項１に記載の鏡の防曇装置。
【請求項３】
前記送電部（５）と前記受電部（６）は、それぞれコイル及びコンデンサを備え、磁界共鳴方式により無接触給電方式で送電を行うように構成されていることを特徴とする請求項１に記載の鏡の防曇装置。
【考案の詳細な説明】
【考案の詳細な説明】
【技術分野】
【０００１】  本考案は、屋内設置、例えば、公衆浴場、一般家屋の曇りを発生し安い場所に設置される鏡の曇り防止を行うところの防曇装置に関する。
【背景技術】
【０００２】  鏡は、屋内に設置されると、建屋の構造体の温度と室内の温度差により、特に湿度の高い浴室等では、鏡表面に曇りを生じる。鏡面が低温であるために空気中の水分が析出されるためである。
こうした鏡面の曇り発生防止するために、鏡面に電熱ヒータを近接敷設し、鏡面温度を上げることで飽和域を上昇させて水分析出を抑えるようにすることが一般に行われるが、その為に、建屋配線から外線を引いていた。【０００３】  上述した従来技術としては、例えば、下記の文献が挙げられる。
【特許文献１】  特開２０１４−１７１８２０
【特許文献２】  特開２０００−２７６１３８  低電圧を用いて感電の恐れを少なくしながら、更に、非接触型給電を行い、且つ、建屋工事と鏡台敷設とを別個に行い得るようにして設備コストを低減させると共に鏡台側の取り換えも容易に行い得るところの鏡の防曇装置を提供することを目的とする。
【考案の開示】
【考案が解決しようとする課題】
【０００４】  上述し従来技術にあっては、防雲装置として、全体としてコスト高となる。即ち、建屋壁の工事に際して、配線敷設と同時に防曇装置の造り付けを行わなければならないが、壁面工事は建築工事であるのに対して鏡敷設は、内装工事に属するので、本来、工事者が異なると共に工期が異なるものであり、同時に行い難いという問題があった。【０００５】  ヒータ加熱用の電源を一般家屋用の電源から引いていたので、湿度の高い浴室などでは、高電圧（１００乃至１１０ボルト）をそのまま使用すると感電等の恐れもあり、危険であった。
また、壁構造から引いた電線が鏡台に接続されていることで、壁構造と一体化するもので、鏡台が破損などした場合に、取り換え工事が容易に行い難いという問題もあった。【０００６】  本考案は、上述の現状に鑑み、低電圧を用いて感電の恐れを少なくしながら、更に、非接触型給電を行い、且つ、建屋工事と鏡台敷設とを別個に行い得るようにして設備コストを低減させると共に鏡台側の取り換えも容易に行い得るところの鏡の防曇装置を提供することを目的とする。
【課題を解決するための手段】
【０００７】  本考案にかかる鏡の防曇装置は、上記目的を達成するために、屋内設置の鏡の防曇装置であって、
建屋構造壁の内部に有線接続されて設置される電源供給部（１）と、該壁の屋内側に固定又は着脱自在に設置される鏡ユニット（１０）に設けられた電力受給部（２）とから構成され、
前記電源供給部（１）は、屋内配線に接続された変圧部（４）と、該変圧部（４）に接続された送電部（５）とから構成され、前記変圧部（４）は、５０乃至２０ボルトに降圧させるように構成されており、
前記電力受給部（２）は、受電部（６）と該受電部（６）に接続されたヒータ（７）とからなり、前記ヒータ（７）は、前記鏡本体（１５）の裏面に近接設置されており、
前記送電部（５）と受電部（６）は非接触型給電方式で構成されている、という手段を講じたものである。
【考案の効果】
【０００８】  本考案にかかる鏡の防曇装置によれば、５０乃至３０ボルトに降圧させた低電圧を用いて感電の恐れを少なくできると共に電源供給部と電力受給部とは別体構成とした非接触型給電を行うようにしたことで、建屋工事と鏡台敷設とを別個に行い得るようにして異種の工事を行い易くすることで設備コストを低減させることが出来ながら、破損等による鏡台側の取り換えも架け換え程度の簡便な作業で行う事が出来る利点がある。そして、建屋工事が完成してから後も容易に追加工事で設置できる。
また、非接触型給電方式によって、特異な電磁誘導などの受電設備が敷設されない限り、鏡本体（台）が存在していない場合でも、壁体内側への漏電はなくなり、浴場等における感電事故を未然に回避できる利点もある。
【考案を実施するための好適な態様】
【０００９】  本考案の実施に際しては、前記送電部（５）と前記受電部（６）は、それぞれ電磁誘導コイルを備えて、電磁誘導により非接触型給電方式で送電を行うように構成されていることが好ましい。
こうした電磁誘導による給電は、コスト的に安価であると共に送電部のコイルと受電部のコイルが近接していれば容易に給電可能であるので、壁面に密着敷設される鏡であれば非常に有効に機能できる。
【００１０】  また、前記送電部（５）と前記受電部（６）は、それぞれコイル及びコンデンサを備え、磁界共鳴方式により無接触給電方式で送電を行うように構成されていることが好ましい。
この方式によれば、電磁誘導方式とコスト的にも大差なく実施できると共に送電部と受電部に多少の間隙あっても機能的に十分に給電可能であり、ビルの浴場など厚い壁面などでも十分に機能できる。
【図面の簡単な説明】
【００１１】
【図１】本考案にかかる鏡の防曇装置の全体を示す縦断側面図。
【図２】本考案にかかる鏡の防曇装置の給電概念を示す回路図。
【図３】本考案にかかる鏡の防曇装置の別態様を示す縦断側面図。
【実施例】
【００１２】  以下、本考案の好適実施例について、図面を参照して詳述する。
この実施例は、浴場に敷設の複数の鏡台（枠）に設置されるところの鏡の防曇装置について説明する。
図１及び図２に示すように、浴場である屋内設置の鏡の防曇装置であって、建屋構造壁（１１）の内部に有線接続されて設置される電源供給部（１）と、該壁の屋内側に固定又は着脱自在に設置される鏡ユニット（１０）に設けられた電力受給部（２）とから構成される。前記鏡ユニット（１０）は、鏡本体（１５）とそれを保持するフレームから成るもので、前記ユニットは、図１及び図２で、下部の矢印で示すように、全体を指すものとする。また、前記鏡ユニット（１０）は、図示省略しているが、前記壁（１１）に取り付けるための取り付け具を備えており、容易に着脱できる構成とされている。【００１３】  前記電源供給部（１）は、屋内配線の通常の１００ボルト（又は１１０ボルト）から取り込むことになる。建屋構造壁（１１）は浴場の外壁（内壁）を構成するもので、その壁内に配線される内線から前記電源供給部（１）に給電される。
そして、前記電源供給部（１）は、屋内配線に接続された変圧部（４）と、該変圧部（４）に接続された送電部（５）とから構成され、前記変圧部（４）は、ここでは、３０ボルトに降圧させるように構成されている。ここでは、前記変圧部（４）は磁気誘導の通常の変圧器であるが、半導体等を用いた他の手段を用いてもよい。しかし、５０ボルト乃至２０ボルト程度を得ることができれば、ヒータ加熱による本考案の目的を達成できるものである。【００１４】  前記電力受給部（２）は、受電部（６）と該受電部（６）に接続されたヒータ（７）とからなり、前記ヒータ（７）は、前記鏡本体（１５）の裏面に近接設置されており、鏡面を略均一に加熱し、所要の温度まで上昇させて鏡面に形成される曇りを解消させる。この際、前記送電部（５）の側に温度センサー（１３）を敷設し、該温度センサー（１３）を鏡ユニット（１０）に接触させて、所要の温度以上になると前記ヒータ（７）への給電を遮断できるように構成されている。３は、前記センサー（１３）で稼働するスイッチである。【００１５】  前記送電部（５）と受電部（６）は非接触型給電方式で構成されているが、ここでは、前記送電部（５）と前記受電部（６）は、それぞれ電磁誘導コイルで構成されていて、併設されたコイル同士による電磁誘導により非接触型給電方式で送電を行う構成とされている。従って、ここでは３０ボルトの降圧での給電がなされ、ヒータ（７）が加熱されて鏡面温度を上昇させる。この実施例では、前記ヒータ（７）は、３アンペアの電流が流れる抵抗値を持つもので構成されているが、もう少し大きな、或は小さな電流が流れるように構成してもよく、鏡面の大きさによって所要の温度上昇に必要なカロリーを得るように調整することになる。【００１６】  この実施例では、ヒータ（７）から鏡面熱伝導への良くするために、鏡本体（１５）の裏面に金属皮膜（１２）を敷設しており、熱伝導を鏡面全体に行うように工夫されている。【００１７】  （別態様）
上記非接触型給電方式としては、前記送電部（５）と前記受電部（６）は、それぞれコイル及びコンデンサを備え、磁界共鳴方式により無接触給電方式で送電を行うように構成することが好ましい。図示は省略するが、このような給電方式は、電磁誘導方式に比べて多少のコストは上がるかもしれないが、前記送電部（５）と前記受電部（６）との間に距離を設けなければならない条件がある建屋構造の場合には有効に機能できるので、防曇装置の設置に融通が利く。
また、この態様の鏡ユニット（１０）の構造については、基本的な構成は前述の実施例と実質的に同じであるので、その詳細説明は省略する。【００１８】  図３は、一部改変の別態様を示すもので、前記受電部（６）を鏡ユニット（１０）のフレーム１７の中に組み込むように構成している。このように構成することで、前記送電部（５）のコイルと前記受電部（６）のコイルとを近接させて、送電効率を上げるようにしている。
【産業上の利用可能性】
【００１９】  本考案は、鏡の防曇装置に関するもので、公衆浴場、一般住宅浴室、その他の湿度の高い場所に設置される鏡に対してその防曇効果をもたらすものであり、その他の種々の敷設場所にも有効に機能できる。
【符号の説明】
【００２０】１：電源供給部
２：電力受給部
４：変圧部
５：送電部
６：受電部
７：ヒータ
１０：鏡ユニット
１５：鏡本体
【図１】
0003202945.tif 000003
【図２】
0003202945.tif 000004
【図３】
0003202945.tif 000005